(57)【要約】【課題】ワイパモータの回転に伴って生じるノイズ成分を効果的に遮断でき、ノイズ成分を遮断する構成の実装が容易なワイパモータを提供する。【解決手段】整流子、回転子及び回転子に電力を供給するブラシが収められたヨークの開口部を覆う導電性の隔壁５０に、ブラシの負極端子が接続される第２接続端子取付部５２ＣＡと隔壁５０に接地領域が接続される開口部８０の付近の部位まで配設された畝部９２を有する。畝部９２は、隔壁５０の他の部位よりも厚みがあるので、導電性が隔壁５０の他の部位よりも大きくなっている。【選択図】図７
2020089019.tif 000002
【特許請求の範囲】
【請求項１】
整流子、回転子及び前記回転子に電力を供給するブラシが収められたヨークの開口部を覆うと共に、前記ブラシの負極端子と、接地領域とが接続された導電性の隔壁と、
前記隔壁に前記負極端子が接続される負極端子接続部と前記隔壁に接地領域が接続される接地領域接続部との間の前記隔壁に配設された、隣接する部位よりも導電性が大きい導電部と、
を含むワイパモータ。
【請求項２】
前記導電部は、前記負極端子接続部と前記接地領域接続部との間で並列する２本の溝部に挟まれた領域であり、前記２本の溝部の各々で前記隔壁を薄くすることにより、前記２本の溝部の導電性を前記隔壁の他の部位よりも低下させると共に、前記領域の導電性を、前記領域に隣接する前記２本の溝部よりも大きくした請求項１に記載のワイパモータ。
【請求項３】
前記２本の溝部の各々は、直線状である請求項２に記載のワイパモータ。
【請求項４】
前記２本の溝部の各々は、略円弧状である請求項２に記載のワイパモータ。
【請求項５】
前記導電部は、前記負極端子接続部と前記接地領域接続部との間に、前記隔壁の他の部位に対して突出する畝部であり、前記畝部で前記隔壁を厚くすることにより、前畝部の導電性を前記畝部に隣接する部位よりも大きくした請求項１に記載のワイパモータ。
【請求項６】
前記畝部に隣接し、かつ各々並列する２本の溝部を含み、前記２本の溝部の各々で前記隔壁を薄くすることにより、前記２本の溝部の導電性を前記畝部よりも低下させた請求項５に記載のワイパモータ。
【請求項７】
前記畝部は、直線状である請求項５又は６に記載のワイパモータ。
【請求項８】
前記畝部は、略円弧状である請求項５又は６に記載のワイパモータ。
【請求項９】
前記畝部は、前記負極端子接続部と前記接地領域接続部との間を一定の高さで前記隔壁の他の部位に対して突出する請求項５又は６に記載のワイパモータ。
【請求項１０】
前記畝部は、前記負極端子接続部から前記接地領域接続部に向かうに従って高さが低くなる請求項５又は６に記載のワイパモータ。
【発明の詳細な説明】
【技術分野】
【０００１】
本発明は、ワイパモータに関する。
【背景技術】
【０００２】
ワイパモータ等に用いられるブラシ付きＤＣモータは、ブラシを介して回転子のコイルに電力が供給されると、当該回転子が回転する。ブラシ付きＤＣモータは、回転子の回転に伴って、回転子に対して同軸に設けられた整流子とブラシとの電気的接続が断続的に切り替わる。かかる電気的接続の切り替えは、一種のスイッチング動作であり、当該動作に伴って、高周波で電位が変化するノイズ成分が生成されやすい。
【０００３】
発生したノイズ成分は、ブラシの負極端子からワイパモータのハウジング等を介して接地領域に流すことが一般に行われているが、ハウジング等を介してノイズ成分が拡散し易いという問題があった。ノイズ成分の外部への拡散を防止するには、ハウジング等にノイズ成分の放射を抑制するためのシールドが別途必要になる。
【０００４】
特許文献１には、ブラシの負極端子とコネクタの接地端子とをリード線で接続することにより、ノイズ成分のハウジング等の導通を遮断したワイパモータの発明が開示されている。
【０００５】
特許文献２には、樹脂製のハウジングカバーを金属製のハウジングに取り付ける際に、ハウジング側とハウジングカバーとで挟まれる金属板でブラシの負極端子とコネクタの接地端子とを接続することにより、ノイズ成分のハウジング等の導通を遮断したワイパモータの発明が開示されている。
【先行技術文献】
【特許文献】
【０００６】
【特許文献１】特開２００３−１３４７２２号公報
【特許文献２】特開平９−２２６５２６号公報
【発明の概要】
【発明が解決しようとする課題】
【０００７】
しかしながら、上記特許文献１に記載のワイパモータは、ウォームギアが回転している減速部に、脆弱なリード線を実装しているので、当該リード線が断線するおそれがあった。また、リード線の接続作業が煩雑であるという問題があった。
【０００８】
特許文献２に記載のワイパモータは、ハウジングカバーを取り付ける際に、ブラシの負極端子とコネクタの接地端子とを接続する金属板を所定の態様で取り付けることが容易ではない。所定の態様で当該金属板が取り付けられなかった場合には、ブラシの負極端子とコネクタの接地端子とが電気的に接続されないのみならず、当該金属板がワイパモータのハウジング等に接触するおそれがあり、接触した場合にはワイパモータの回路が短絡するおそれがあった。
【０００９】
本発明は、上記事実を考慮したもので、ワイパモータの回転に伴って生じるノイズ成分を効果的に遮断でき、ノイズ成分を遮断する構成の実装が容易なワイパモータを提供することを目的とする。
【課題を解決するための手段】
【００１０】
前記課題を解決するために請求項１に記載のワイパモータは、整流子、回転子及び前記回転子に電力を供給するブラシが収められたヨークの開口部を覆うと共に、前記ブラシの負極端子と、接地領域とが接続された導電性の隔壁と、前記隔壁に前記負極端子が接続される負極端子接続部と前記隔壁に接地領域が接続される接地領域接続部との間の前記隔壁に配設された、隣接する部位よりも導電性が大きい導電部と、を含んでいる。
【００１１】
このワイパモータによれば、隣接する部位よりも導電性が大きい導電部を隔壁上に設けることにより、ワイパモータの回転に伴って生じるノイズ成分の隔壁の他の部位への拡散を抑制するので、ノイズ成分を効果的に遮断できる。
【００１２】
請求項２に記載のワイパモータは、請求項１に記載のワイパモータにおいて、前記導電部は、前記負極端子接続部と前記接地領域接続部との間で並列する２本の溝部に挟まれた領域であり、前記２本の溝部の各々で前記隔壁を薄くすることにより、前記２本の溝部の導電性を前記隔壁の他の部位よりも低下させると共に、前記領域の導電性を、前記領域に隣接する前記２本の溝部よりも大きくしている。
【００１３】
このワイパモータによれば、導電部として、並列する２本の溝部を設けることにより、２本の溝部に挟まれた領域にノイズ成分を流すことができ、ノイズ成分を効果的に遮断できる。また、溝部は容易に実装できるので、ノイズ成分を遮断する構成の実装が容易なワイパモータを提供することができる。
【００１４】
請求項３に記載のワイパモータは、請求項２に記載のワイパモータにおいて、前記２本の溝部の各々は、直線状である。
【００１５】
このワイパモータによれば、溝部が負極端子接続部と接地領域接続部とを最短距離で結ぶことにより、ノイズ成分の隔壁の他の部位への拡散を抑制するので、ノイズ成分を効果的に遮断できる。
【００１６】
請求項４に記載のワイパモータは、請求項２に記載のワイパモータにおいて、前記２本の溝部の各々は、略円弧状である。
【００１７】
このワイパモータによれば、溝部を略円弧状にすることにより、隔壁をワイパモータの回転軸が貫通する開口部を避けて、導電部を配設することができる。
【００１８】
請求項５に記載のワイパモータは、請求項１に記載のワイパモータにおいて、前記導電部は、前記負極端子接続部と前記接地領域接続部との間に、前記隔壁の他の部位に対して突出する畝部であり、前記畝部で前記隔壁を厚くすることにより、前畝部の導電性を前記畝部に隣接する部位よりも大きくしている。
【００１９】
このワイパモータによれば、負極端子接続部と接地領域接続部との間に、導電性が大きい畝部を設けることにより、畝部にノイズ成分を流すことができ、ノイズ成分を効果的に遮断できる。また、畝部は容易に実装できるので、ノイズ成分を遮断する構成の実装が容易なワイパモータを提供することができる。
【００２０】
請求項６に記載のワイパモータは、請求項５に記載のワイパモータにおいて、前記畝部に隣接し、かつ各々並列する２本の溝部を含み、前記２本の溝部の各々で前記隔壁を薄くすることにより、前記２本の溝部の導電性を前記畝部よりも低下させている。
【００２１】
このワイパモータによれば、畝部に各々並列する２本の溝部を設けることにより、畝部にノイズ成分を集中的に流すことができ、ノイズ成分を効果的に遮断できる。
【００２２】
請求項７に記載のワイパモータは、請求項５又は６に記載のワイパモータにおいて、前記畝部は、直線状である。
【００２３】
このワイパモータによれば、畝部が負極端子接続部と接地領域接続部とを最短距離で結ぶことにより、ノイズ成分の隔壁の他の部位への拡散を抑制するので、ノイズ成分を効果的に遮断できる。
【００２４】
請求項８に記載のワイパモータは、請求項５又は６に記載のワイパモータにおいて、前記畝部は、略円弧状である。
【００２５】
このワイパモータによれば、畝部を略円弧状にすることにより、隔壁をワイパモータの回転軸が貫通する開口部を避けて、導電部を配設することができる。
【００２６】
請求項９に記載のワイパモータは、請求項５又は６に記載のワイパモータにおいて、前記畝部は、前記負極端子接続部と前記接地領域接続部との間を一定の高さで前記隔壁の他の部位に対して突出している。
【００２７】
このワイパモータによれば、畝部を一定の高さで配設することにより、負極端子接続部から接地領域接続部へノイズ成分を確実に流すことができ、ノイズ成分を効果的に遮断できる。
【００２８】
請求項１０に記載のワイパモータは、請求項５又は６に記載のワイパモータにおいて、前記畝部は、前記負極端子接続部から前記接地領域接続部に向かうに従って高さが低くなっている。
【００２９】
このワイパモータによれば、負極端子接続部から接地領域接続部へノイズ成分を流すと共に、畝部の高さを抑制することにより、製品の重量を抑えることができる。
【図面の簡単な説明】
【００３０】
【図１】本発明の第１の実施の形態に係るワイパモータの電気的な構成の一例を示したブロック図である。
【図２】本発明の第１の実施の形態に係るワイパモータのハウジングカバーを外した状態の減速部の概略図の一例である。
【図３】本発明の第１の実施の形態に係るワイパモータの減速部を図２の矢印Ａ方向から見た場合の概略図の一例である。
【図４】（Ａ）は、図３に示したワイパモータから、ブラシ及びウォームホイール等の構成を取り外したハウジングの一例を示した概略図であり、（Ｂ）は、（Ａ）の斜視図である。
【図５】（Ａ）は、図４（Ａ）に示したハウジングの変形例の概略図であり、（Ｂ）は、（Ａ）の斜視図である。
【図６】図４（Ｂ）、図５（Ｂ）のＡ−Ａ線に沿って切断した場合の断面図である。
【図７】本発明の第２の実施の形態の第１の例に係るハウジングの一例を示した概略図である。
【図８】（Ａ）は、本発明の第２の実施の形態の第１の例の第１の変形例のハウジングを示した概略図であり、（Ｂ）は、本発明の第２の実施の形態の第１の例の第２の変形例のハウジングを示した概略図である。
【図９】（Ａ）は、図８（Ａ）のＢ−Ｂ線に沿って切断した場合の断面図であり、（Ｂ）は、図８（Ｂ）のＣ−Ｃ線に沿って切断した場合の断面図である。
【図１０】本発明の第２の実施の形態の第２の例のハウジングを示した概略図である。
【図１１】（Ａ）は、本発明の第２の実施の形態の第２の例の第１の変形例のハウジングを示した概略図であり、（Ｂ）は、本発明の第２の実施の形態の第２の例の第２の変形例のハウジングを示した概略図である。
【図１２】本発明の第３の実施の形態に係るハウジングの一例を示した概略図である。
【図１３】（Ａ）は、図１２（Ａ）のＤ−Ｄ線に沿って切断した場合の断面図であり、（Ｂ）は、図１２（Ｂ）のＦ−Ｆ線に沿って切断した場合の断面図である。
【発明を実施するための形態】
【００３１】
[第１の実施の形態］
図１は、本実施の形態に係るワイパモータ１０の電気的な構成の一例を示したブロック図である。
【００３２】
図１に示したように、ワイパモータ１０は、固定子及び回転子が収められたモータ部２０と、回転子の回転軸の末端に設けられたウォームギア機構により、回転軸の回転速度を減速する減速部３０と、で構成されている。
【００３３】
モータ部２０の固定子及び回転子は、アルミダイカスト等で構成されたヨーク２２内に設けられる。ヨーク２２は内部が中空の略円筒形であり、内部の空間に固定子及び回転子を収納する。
【００３４】
減速部３０は、アルミダイカスト製のハウジング３２内に前述のウォームギア機構が収納され、ハウジング３２とウォームギア機構は、樹脂製のハウジングカバー３４で覆われている。
【００３５】
コネクタ３６には、ワイパモータ１０を高速回転させるための電力が供給されるＨｉｇｈ端子３６Ｈと、ワイパモータ１０を前述の高速回転よりも低速で回転させるために、Ｈｉｇｈ端子３６Ｈよりも低電圧な電力が供給されるＬｏｗ端子３６Ｌと、ワイパモータ１０のブラシ４０の負極端子４０Ｎに電気的に接続される接地端子３６Ｎと、を含む。
【００３６】
Ｈｉｇｈ端子３６Ｈから供給された電力は、高電圧ライン５６を介してノイズとなる高周波成分を除去するチョークコイル３８Ｈ及びブラシ４０の正極端子４０Ｈを介して整流子４２に供給される。Ｌｏｗ端子３６Ｌから供給された電力は、低電圧ライン５８を介してノイズとなる高周波成分を除去するチョークコイル３８Ｌ及びブラシ４０の正極端子４０Ｌを介して整流子４２に供給される。高電圧ライン５６及び低電圧ライン５８の各々は、モータ部２０と減速部３０とを隔てる隔壁５０に設けられた開口部８０を介して正極端子４０Ｈ、４０Ｌに各々接続する。モータ部２０には、回転子及び固定子が備わるが、図１では図示を省略している。隔壁５０は、ハウジング３２と一体に構成されており、ヨーク２２とハウジング３２が結合した状態で、ハウジング３２の開口部を覆う部位である。なお、コネクタ３６の正電荷用の端子、ブラシの正極端子、及びチョークコイルは各々１つでよい。
【００３７】
接地端子３６Ｎは、車両側の接地領域に接続される端子であり、ワイパモータ１０内では、接地ライン５４と、アルミダイカスト製等の導電性の隔壁５０と、第２接続端子５２Ｃと、ブレーカー５２Ｂと、第１接続端子５２Ａとを介してブラシ４０の負極端子４０Ｎに電気的に接続される。接地ライン５４は端部５４Ａで隔壁５０と接続し、接地端子３６Ｎ、破線６０で示した部分の隔壁５０、第１接続端子５２Ｃ、ブレーカー５２Ｂ、第１接続端子５２Ａ及びブラシ４０の負極端子４０Ｎを電気的に接続する。なお、ブレーカー５２Ｂは、ワイパモータ１０のコイルの電流（モータ電流）が過大になった場合に電路を開放して、ワイパモータ１０及びワイパモータ１０に係る回路の損傷を防止する装置である。
【００３８】
接地ライン５４と高電圧ライン５６とは、ノイズ防止用のコンデンサ４６で接続されている。また、接地ライン５４と低電圧ライン５８とは、ノイズ防止用のコンデンサ４８で接続されている。コンデンサ４６は、一端が高電圧ライン５６のチョークコイル３８Ｈとコネクタ３６のＨｉｇｈ端子３６Ｈとの間に接続されると共に他端が接地ライン５４の端部５４Ａとコネクタ３６の接地端子３６Ｎとの間に接続される。また、コンデンサ４８は、一端が低電圧ライン５８のチョークコイル３８Ｌとコネクタ３６のＬｏｗ端子３６Ｌとの間に接続されると共に他端が接地ライン５４の端部５４Ａとコネクタ３６の接地端子３６Ｎとの間に接続される。
【００３９】
ワイパモータ１０の回転によって、高周波のノイズ成分が生成されるが、当該ノイズ成分は、ブラシ４０の負極端子４０Ｎから第１接続端子５２Ａ、ブレーカー５２Ｂ、第２接続端子５２Ｃを通り、図１の破線６０で示したように隔壁５０を通り、端部５４Ａから接地ライン５４を通る。
【００４０】
ノイズ防止用のコンデンサ４６、４８は、直流は通さないが、交流は通すので、高周波で電位が変化するノイズ成分は、コンデンサ４６を介してチョークコイル３８Ｈに導かれる。また、当該ノイズ成分は、コンデンサ４８を介してチョークコイル３８Ｌにも導かれ得る。
【００４１】
チョークコイル３８Ｈ、３８Ｌは、高インダクタンスの素子であり、高周波であるノイズ成分に対しては高いインピーダンスを示すので、当該ノイズ成分はチョークコイル３８Ｈ、３８Ｌで遮断される。仮にチョークコイル３８Ｈ、３８Ｌでのノイズ成分の遮断が不十分であっても、当該ノイズ成分は正極端子４０Ｈ、４０Ｌを介してワイパモータ１０に供給され、ワイパモータ１０を回転させる電力と一緒に消尽される。
【００４２】
図１に示したように、本実施の形態では、ノイズ成分を第１接続端子５２Ａ、ブレーカー５２Ｂ及び第２接続端子５２Ｃを介して接地ライン５４に導通させる。ノイズ成分は、図１の破線６０に示したように、ワイパモータ１０のハウジング３２の一部である隔壁５０を導通して、接地ライン５４に流れる。本実施の形態では、破線６０で示した箇所以外にノイズ成分が拡散することを防止することにより、外界にノイズ成分が放散されることを抑制する。
【００４３】
図２は、本実施の形態に係るワイパモータ１０のハウジングカバー３４を外した状態の減速部３０の概略図の一例である。通常、ハウジングカバー３４は、固定ボルト６８等の固定部材によって、ハウジング３２と結合し、ハウジング３２内部を覆う。
【００４４】
ハウジングカバー３４を外した減速部３０のハウジング３２の内部には、ワイパモータ１０の回転速度を減速させるウォームホイール７４が格納されている。ウォームホイール７４を跨ぐように、Ｈｉｇｈ端子３６Ｈ及び高電圧ライン５６、Ｌｏｗ端子３６Ｌ及び低電圧ライン５８、接地端子３６Ｎ及び接地ライン５４、コンデンサ４６、４８を含む回路が構成されている。図２に示した高電圧ライン５６、低電圧ライン５８、接地ライン５４の各々は、剛性を有する金属線又は金属板で構成される。
【００４５】
高電圧ライン５６及び低電圧ライン５８は、隔壁５０に設けられた開口部を介してブラシ４０の正極端子４０Ｈ、４０Ｌに各々接続される。隔壁５０は導電性なので、高電圧ライン５６及び低電圧ライン５８は、絶縁部材７６に覆われた状態で隔壁５０の開口部を通過する。
【００４６】
図２に示したように、接地ライン５４は端部５４Ａによって隔壁５０と電気的に接続される。接地ライン５４は、端部５４Ａに導電性及び弾力性を有し、端部５４Ａが隔壁５０に当接することによって電気的に接続されてもよいが、接続を確実に行うために、ボルト等の固定部材を用いて端部５４Ａを隔壁５０に固定してもよい。
【００４７】
図３は、本実施の形態に係るワイパモータ１０の減速部３０を図２の矢印Ａ方向から見た場合の概略図の一例である。図３は、ヨーク２２、回転子及び固定子が除去された状態であり、ブラシ４０の構成が示されている。また、減速部３０のウォームホイール７４と同軸に設けられた出力軸７８が示されている。出力軸７８の端部には、ワイパ装置のリンク機構等が接続される。
【００４８】
ブラシ４０を構成する正極端子４０Ｈ、４０Ｌ及び負極端子４０Ｎは、ワイパモータ１０の整流子４２（図示せず）に接触し、回転子に電力を供給する。図３に示したように、負極端子４０Ｎには第１接続端子５２Ａが接続されている。第１接続端子５２Ａは、ブレーカー５２Ｂに接続される。ブレーカー５２Ｂは第２接続端子５２Ｃを介して隔壁５０に接続されている。
【００４９】
図４（Ａ）、（Ｂ）は、図３に示したワイパモータ１０から、ブラシ４０及びウォームホイール７４等の構成を取り外したハウジング３２の一例を示した概略図である。図４（Ａ）、（Ｂ）に示したように、本実施の形態に係るワイパモータ１０の隔壁５０には、第２接続端子取付部５２ＣＡから隔壁５０の開口部８０に向かって２本の溝部９０Ａ１、９０Ｂ１が直線状に刻まれている。
【００５０】
第２接続端子取付部５２ＣＡは、上述のように、ブラシ４０の負極端子４０Ｎが接続される部位である。溝部９０Ａ１、９０Ｂ１の開口部８０側の末端近くには、接地ライン５４の端部５４Ａが接続される。従って、ブラシ４０の負極端子４０Ｎから送られるノイズ成分は、溝部９０Ａ１、９０Ｂ１に挟まれた領域９０Ｃ１を介して接地ライン５４に導通される。
【００５１】
直線状である溝部９０Ａ１、９０Ｂ１は、第２接続端子取付部５２ＣＡと接地ライン５４の端部５４Ａが接続される部位とを最短距離で結べるので、ノイズ成分の隔壁５０の他の部位への拡散をより効果的に抑制できるが、ワイパモータ１０の回転軸が貫通する回転軸用開口部８２と干渉しないように配設することを要する。
【００５２】
図５（Ａ）、（Ｂ）は、図４（Ａ）、（Ｂ）の変形例を示した概略図である。図５（Ａ）、（Ｂ）に示したように、隔壁５０に刻まれた溝部９０Ａ２、９０Ｂ２は、直線状である図４（Ａ）、（Ｂ）の溝部９０Ａ１、９０Ｂ１と異なり、略円弧状の曲線を呈するので、回転軸用開口部８２との干渉を回避できる。
【００５３】
図５（Ａ）、（Ｂ）に示した変形例も、第２接続端子取付部５２ＣＡは、上述のように、ブラシ４０の負極端子４０Ｎが接続される部位である。また、溝部９０Ａ２、９０Ｂ２の開口部８０側の末端近くには、接地ライン５４の端部５４Ａが接続される。従って、ブラシ４０の負極端子４０Ｎから供給されるノイズ成分は、溝部９０Ａ２、９０Ｂ２に挟まれた領域９０Ｃ２を介して接地ライン５４に導通される。
【００５４】
図６は、図４（Ｂ）、図５（Ｂ）のＡ−Ａ線に沿って切断した場合の断面図である。図６に示したように、溝部９０Ａ１、９０Ａ２、９０Ｂ１、９０Ｂ２が設けられた隔壁５０の部位は、隔壁５０が薄くなっており、当該部位の電気抵抗は、領域９０Ｃ１、９０Ｃ２及び隔壁５０の他の部分よりも大きくなり、導電性は低下する。その結果、ブラシ４０の負極端子４０Ｎから供給されるノイズ成分は、隣接する部位である溝部９０Ａ１、９０Ａ２、９０Ｂ１、９０Ｂ２よりも導電性が大きい領域９０Ｃ１、９０Ｃ２を優先的に流れ、領域９０Ｃ１、９０Ｃ２以外のハウジング３２の他の部分に拡散することを抑制できる。
【００５５】
従って、本実施の形態によれば、ワイパモータの回転に伴って生じるノイズ成分を効果的に遮断でき、ノイズ成分を遮断する構成の実装が容易なワイパモータを提供することができる。
【００５６】
［第２の実施の形態］
続いて、本発明の第２の実施の形態について説明する。本実施の形態では、第１の実施の形態と同一の構成については、同一の符号を付し、その詳細な説明は省略する。
【００５７】
図７は、本実施の形態の第１の例に係るハウジング３２の一例を示した概略図である。本実施の形態は、第２接続端子取付部５２ＣＡと開口部８０との間の隔壁５０に、尾根状に突出する直線状の畝部９２を有する点で、第１の実施の形態と相違する。
【００５８】
直線状である畝部９２は、第２接続端子取付部５２ＣＡと接地ライン５４の端部５４Ａが接続される部位とを最短距離で結べるので、ノイズ成分の隔壁５０の他の部位への拡散をより効果的に抑制できるが、ワイパモータ１０の回転軸が貫通する回転軸用開口部８２と干渉しないように配設することを要する。
【００５９】
図８（Ａ）は、本実施の形態の第１の例の第１の変形例であり、第２接続端子取付部５２ＣＡ基部から隔壁５０の開口部８０に向けて畝部９２Ａが一定の高さで延伸されている。図８（Ｂ）は、本実施の形態の第１の例の第２の変形例であり、第２接続端子取付部５２ＣＡ基部から隔壁５０の開口部８０に向けて畝部９２Ｂの高さが徐々に低くなるスロープ状になるように畝部９２Ｂが延伸されている。
【００６０】
図９（Ａ）は、図８（Ａ）のＢ−Ｂ線に沿って切断した場合の断面図であり、図９（Ｂ）は、図８（Ｂ）のＣ−Ｃ線に沿って切断した場合の断面図である。図９（Ａ）に示すように、本実施の形態の第１の例の第１の変形例では、畝部９２Ａは、隔壁５０から一定の高さで突出している。また、本実施の形態の第１の例の第２の変形例では、畝部９２Ｂは、第２接続端子取付部５２ＣＡ基部から隔壁５０の開口部８０に向けてスロープ状に延伸されている。畝部９２Ｂのようにスロープ状にして高さを抑制することにより、製品の重量を抑えることができる。
【００６１】
図１０は、本実施の形態の第２の例である。図１０に示した畝部９４は、直線状である図７の畝部９２と異なり、略円弧状の曲線を呈するので、回転軸用開口部８２との干渉を回避できる。
【００６２】
図１１（Ａ）は、本実施の形態の第２の例の第１の変形例であり、第２接続端子取付部５２ＣＡ基部から隔壁５０の開口部８０に向けて畝部９４Ａが一定の高さで延伸されている。図１１（Ｂ）は、本実施の形態の第２の例の第２の変形例であり、第２接続端子取付部５２ＣＡ基部から隔壁５０の開口部８０に向けて畝部９４Ｂの高さが徐々に低くなるスロープ状になるように畝部９４Ｂが延伸されている。
【００６３】
第１の例及び第２の例は、隔壁５０の他の部分よりも、畝部９２Ａ、９２Ｂ、９４Ａ、９４Ｂは、厚みがあるので、隔壁５０の他の部位よりも電気抵抗は低くなり、導電性は大きくなる。その結果、ブラシ４０の負極端子４０Ｎから供給されるノイズ成分は、隣接する部位よりも導電性が大きい畝部９２Ａ、９２Ｂ、９４Ａ、９４Ｂを優先的に流れ、畝部９２Ａ、９２Ｂ、９４Ａ、９４Ｂ以外のハウジング３２の他の部分に拡散することを抑制できる。
【００６４】
その結果、本実施の形態によれば、ワイパモータの回転に伴って生じるノイズ成分を効果的に遮断でき、ノイズ成分を遮断する構成の実装が容易なワイパモータを提供することができる。
【００６５】
［第３の実施の形態］
続いて、本発明の第３の実施の形態について説明する。本実施の形態では、第１の実施の形態と同一の構成については、同一の符号を付し、その詳細な説明は省略する。
【００６６】
図１２は、本実施の形態に係るハウジング３２の一例を示した概略図である。本実施の形態は、第２接続端子取付部５２ＣＡと開口部８０との間の隔壁５０に、尾根状に突出する畝部９６と、畝部９６に各々並列する溝部９８Ａ、９８Ｂを有する点で、第１の実施の形態の変形例と相違する。図１２に示したように、畝部９６及び溝部９８Ａ、９８Ｂは、略円弧状であるが、直線状でもよい。
【００６７】
図１３（Ａ）は、図１２（Ａ）のＤ−Ｄ線に沿って切断した場合の断面図であり、図１３（Ｂ）は、図１２（Ｂ）のＦ−Ｆ線に沿って切断した場合の断面図である。図１３（Ａ）に示すように、本実施の形態では、畝部９６は、溝部９８Ａ、９８Ｂによって隔壁５０から一段低くなった位置から、隔壁５０の平面をよりも突出している。また、図１３（Ｂ）に示すように、畝部９６は、第２接続端子取付部５２ＣＡ基部から隔壁５０の開口部８０に向けてスロープ状に延伸されている。畝部９６は、第２接続端子取付部５２ＣＡ基部から隔壁５０の開口部８０に向けて一定の高さで延伸してもよい。
【００６８】
溝部９８Ａ、９８Ｂが設けられた隔壁５０の部位は、隔壁５０が薄くなっており、当該部位の電気抵抗は、溝部９８Ａ、９８Ｂが設けられていない隔壁５０の部位よりも大きくなる。さらに、隔壁５０の他の部位よりも、畝部９６は、厚みがあるので、隣接する溝部９８Ａ、９８Ｂが設けられた隔壁５０の部位、及び隔壁５０の他の部位よりも電気抵抗は低くなり、導電性は大きくなる。その結果、ブラシ４０の負極端子４０Ｎから供給されるノイズ成分は、畝部９６を優先的に流れ、畝部９６以外のハウジング３２の他の部分に拡散することを抑制できる。
【００６９】
その結果、本実施の形態によれば、ワイパモータの回転に伴って生じるノイズ成分を効果的に遮断でき、ノイズ成分を遮断する構成の実装が容易なワイパモータを提供することができる。
【符号の説明】
【００７０】
１０…ワイパモータ、２０…モータ部、２２…ヨーク、３０…減速部、３２…ハウジング、３４…ハウジングカバー、３６…コネクタ、３６Ｈ…Ｈｉｇｈ端子、３６Ｌ…Ｌｏｗ端子、３６Ｎ…接地端子、３８Ｈ，３８Ｌ…チョークコイル、４０…ブラシ、４０Ｈ，４０Ｌ…正極端子、４０Ｎ…負極端子、４２…整流子、４６，４８…コンデンサ、５０…隔壁、５２Ａ…第１接続端子、５２Ｂ…ブレーカー、５２Ｃ…第２接続端子、５２ＣＡ…接続端子取付部、５４…接地ライン、５４Ａ…端部、５６…高電圧ライン、５８…低電圧ライン、６０…破線、６８…固定ボルト、７４…ウォームホイール、７６…絶縁部材、７８…出力軸、８０…開口部、８２…回転軸用開口部、９０Ａ１，９０Ｂ１，９０Ａ２，９０Ｂ２…溝部、９０Ｃ１，９０Ｃ２…領域、９２，９２Ａ，９２Ｂ，９４，９４Ａ，９４Ｂ，９６…畝部、９８Ａ，９８Ｂ…溝部
【図１】
2020089019.tif 000003
【図２】
2020089019.tif 000004
【図３】
2020089019.tif 000005
【図４】
2020089019.tif 000006
【図５】
2020089019.tif 000007
【図６】
2020089019.tif 000008
【図７】
2020089019.tif 000009
【図８】
2020089019.tif 000010
【図９】
2020089019.tif 000011
【図１０】
2020089019.tif 000012
【図１１】
2020089019.tif 000013
【図１２】
2020089019.tif 000014
【図１３】
2020089019.tif 000015